(57)【要約】【課題】子バーナと子バーナを囲う親バーナとで構成される親子バーナであって、親バーナキャップ２３の上壁部に、内周側から径方向外方にのびて径方向外端部２６ａが親バーナキャップの外周側周壁部２３ａの外周面に開口する火移りのためスリット炎孔２６が開設されるものにおいて、スリット炎孔の外端部からの混合気の噴出流量を増加させて、火移り性能を向上させる。【解決手段】スリット炎孔２６の中間部は、下面が閉塞された溝状炎孔部２６ｂに形成される。好ましくは、親バーナキャップ２３の上壁部の下面に、溝状炎孔部２６ｂが入り込む突起２７を形成すると共に、親バーナキャップ２３の外周側周壁部２３ａの内周面に、突起２７の外端部を隙間を存して受け入れる凹入部２８を形成し、凹入部２８に連通するようにスリット炎孔２６の径方向外端部２６ａを形成する。【選択図】図３
2012251760.tif 000002
【特許請求の範囲】
【請求項１】
子バーナボディと、子バーナボディ上に載置されて、子バーナボディとの間に混合気室を画成する子バーナキャップと、子バーナキャップの周壁部に周方向の間隔を存して形成した複数の子バーナ炎孔とを有する子バーナと、子バーナボディを囲う環状の親バーナボディと、親バーナボディ上に載置されて、親バーナボディとの間に混合気室を画成する環状の親バーナキャップと、親バーナキャップの外周側の周壁部に周方向の間隔を存して形成した複数の親バーナ炎孔とを有する親バーナとで構成される親子バーナであって、親バーナキャップの上壁部に、上壁部の内周側から径方向外方にのびて径方向外端部が親バーナキャップの外周側周壁部の外周面に開口する、子バーナ炎孔と親バーナ炎孔との間の火移りのためスリット炎孔が開設されるものにおいて、
スリット炎孔の径方向中間部は、親バーナの混合気室に面する下面部分が閉塞された溝状炎孔部に形成されることを特徴とする親子バーナ。
【請求項２】
前記親バーナキャップの上壁部の下面に、前記溝状炎孔部に対応する部分から下方に突出する突起が形成されることを特徴とする請求項１記載の親子バーナ。
【請求項３】
前記親バーナキャップの外周側周壁部の内周面に、前記突起と同一の周方向部分に位置させて、径方向外方に凹入する凹入部が形成され、この凹入部に、前記突起の径方向外端部が周方向両側の隙間と径方向の隙間とを生ずるように挿入され、この径方向の隙間に連通するように前記スリット炎孔の径方向外端部が形成されることを特徴とする請求項２記載の親子バーナ。
【請求項４】
前記溝状炎孔部は、その溝底が前記親バーナキャップの前記突起以外の上壁部の下面部分よりも下方に位置するように、突起に入り込む深さに形成されることを特徴とする請求項２又は３記載の親子バーナ。
【請求項５】
前記親バーナキャップの上壁部の上面外周部の前記スリット炎孔に合致する部分に、径方向外方に向けて下方に傾斜する面取り部が形成されることを特徴とする請求項１〜４の何れか１項記載の親子バーナ。
【発明の詳細な説明】
【技術分野】
【０００１】
本発明は、主としてガスコンロで使用する親子バーナに関する。
【背景技術】
【０００２】
従来、この種の親子バーナは、子バーナボディと、子バーナボディ上に載置されて、子バーナボディとの間に混合気室を画成する子バーナキャップと、子バーナキャップの周壁部に周方向の間隔を存して形成した複数の子バーナ炎孔とを有する子バーナと、子バーナボディを囲う環状の親バーナボディと、親バーナボディ上に載置されて、親バーナボディとの間に混合気室を画成する環状の親バーナキャップと、親バーナキャップの外周側の周壁部に周方向の間隔を存して形成した複数の親バーナ炎孔とを有する親バーナとで構成されている。
【０００３】
そして、このような親子バーナでは、一般的に、子バーナ炎孔と親バーナ炎孔との一方の炎孔に点火プラグで点火し、他方の炎孔に火移りさせるようにしている。そこで、親バーナキャップの上壁部に、上壁部の内周側から径方向外方にのびて径方向外端部が親バーナキャップの外周側周壁部の外周面に開口する、子バーナ炎孔と親バーナ炎孔との間の火移りのためスリット炎孔を開設している（例えば、特許文献１参照）。
【０００４】
ここで、上記従来例のものでは、スリット炎孔がその全長に亘って親バーナの混合気室に連通している。このものでは、スリット炎孔の中間部からの混合気の噴出流量が多くなり、スリット炎孔の径方向外端部からの混合気の噴出流量が少なくなる。そのため、スリット炎孔の径方向外端部に生ずる炎が小さくなり、スリット炎孔と親バーナ炎孔との間でうまく火移りしないことがある。
【先行技術文献】
【特許文献】
【０００５】
【特許文献１】特開２００５−１６４０５８号公報
【発明の概要】
【発明が解決しようとする課題】
【０００６】
本発明は、以上の点に鑑み、火移り性能を向上できるようにした親子バーナを提供することをその課題としている。
【課題を解決するための手段】
【０００７】
上記課題を解決するために、本発明は、子バーナボディと、子バーナボディ上に載置されて、子バーナボディとの間に混合気室を画成する子バーナキャップと、子バーナキャップの周壁部に周方向の間隔を存して形成した複数の子バーナ炎孔とを有する子バーナと、子バーナボディを囲う環状の親バーナボディと、親バーナボディ上に載置されて、親バーナボディとの間に混合気室を画成する環状の親バーナキャップと、親バーナキャップの外周側の周壁部に周方向の間隔を存して形成した複数の親バーナ炎孔とを有する親バーナとで構成される親子バーナであって、親バーナキャップの上壁部に、上壁部の内周側から径方向外方にのびて径方向外端部が親バーナキャップの外周側周壁部の外周面に開口する、子バーナ炎孔と親バーナ炎孔との間の火移りのためのスリット炎孔が開設されるものにおいて、スリット炎孔の径方向中間部は、親バーナの混合気室に面する下面部分が閉塞された溝状炎孔部に形成されることを特徴とする。
【０００８】
本発明によれば、スリット炎孔の中間部の溝状炎孔部は混合気室に直接連通しないため、スリット炎孔の中間部からの混合気の噴出流量が減少し、その結果スリット炎孔の径方向外端部からの混合気の噴出流量が増加する。そのため、スリット炎孔の径方向外端部に生ずる炎が大きくなり、火移り性能が向上する。
【０００９】
また、本発明においては、親バーナキャップの上壁部の下面に、溝状炎孔部に対応する部分から下方に突出する突起が形成されることが望ましい。これによれば、親バーナキャップの上壁部下面に沿って流れる混合気が突起により径方向外方と内方に分流され、スリット炎孔の径方向外端部から混合気が径方向外方に向かう方向成分を持って噴出し、火移り性能が一層向上する。
【００１０】
また、上記の如く突起を形成する場合、親バーナキャップの外周側周壁部の内周面に、突起と同一の周方向部分に位置させて径方向外方に凹入する凹入部が形成され、この凹入部に、突起の径方向外端部が周方向両側の隙間と径方向の隙間とを生ずるように挿入され、この径方向の隙間に連通するようにスリット炎孔の径方向外端部が形成されることが望ましい。
【００１１】
これによれば、凹入部と突起との間の周方向両側の隙間に混合気が凹入部と突起との間の径方向の隙間に向けて径方向外方に流れ、径方向の隙間に連通するスリット炎孔の径方向外端部から噴出する混合気に径方向外方に向かう方向成分が効果的に付与される。従って、親バーナ炎孔とスリット炎孔との間での火移り性能を確実に向上することができる。更に、凹入部と突起との間の周方向両側の隙間量によってスリット炎孔の径方向外端部からの混合気の噴出流量を適切に管理することができ、噴出流量が過大になることによるリフトや黄炎等の燃焼不良も防止できる。
【００１２】
更に、溝状炎孔部は、その溝底が親バーナキャップの突起以外の上壁部の下面部分よりも下方に位置するように、突起に入り込む深さに形成されることが望ましい。これによれば、溝状炎孔部にその径方向両端から混合気が流入し、溝状炎孔部からの混合気の噴出流量が過度に減少することを防止できる。その結果、溝状炎孔部上に小さいながら連続した炎が形成され、スリット炎孔中間部での失火による火移り不良を防止できる。
【００１３】
また、本発明においては、親バーナキャップの上壁部の上面外周部のスリット炎孔に合致する部分に、径方向外方に向けて下方に傾斜する面取り部が形成されることが望ましい。これによれば、スリット炎孔の径方向中間部と径方向外端部との間での火移り性が良好になる。
【図面の簡単な説明】
【００１４】
【図１】本発明の実施形態の親子バーナの斜視図。
【図２】実施形態の親子バーナの断面図。
【図３】図１のＩＩＩ−ＩＩＩ線で切断した拡大断面図。
【図４】図３のＩＶ−ＩＶ線で切断した断面図。
【図５】他の実施形態の親バーナキャップの要部の斜視図。
【発明を実施するための形態】
【００１５】
図１、図２を参照して、本発明の実施形態の親子バーナは、ガスコンロに設けられるものであって、子バーナ１と子バーナ１を囲う親バーナ２とで構成されている。親子バーナは、子バーナ混合管１１と親バーナ混合管２１とを備えており、各混合管１１，２１の上流端に臨ませた各別のノズル（図示せず）から噴出される燃料ガスと燃料ガスの噴出に伴い吸引される一次空気との混合気が各混合管１１，２１で生成されるようにしている。
【００１６】
両混合管１１，２１は、その下流側の部分において一体化されている。この一体化部分は、子バーナ混合管１１の下流側部分である上方に開口する内筒１１ａと、親バーナ混合管２１の下流側部分である上方に開口する外筒２１ａとから成る内外２重の筒状に形成されている。
【００１７】
また、親子バーナは、内筒１１ａの上端部に嵌合する子バーナボディ１２と、子バーナボディ１２を囲う環状の親バーナボディ２２とを備えている。親バーナボディ２２は、外筒２１ａの上端部に嵌合して親バーナ混合管２１からの混合気を親バーナボディ２２に導く周方向複数箇所の通路部２２ａを介して子バーナボディ１２と一体化されている。
【００１８】
子バーナボディ１２上には子バーナキャップ１３が載置されており、子バーナ混合管１１と子バーナボディ１２と子バーナキャップ１３とで子バーナ１が構成される。子バーナキャップ１３の周壁部には、周方向の間隔を存して大小複数の子バーナ炎孔１４が形成されている。そして、子バーナ混合管１１からの混合気が子バーナボディ１２と子バーナキャップ１３との間に画成される混合気室を介して子バーナ炎孔１４から噴出するようにしている。
【００１９】
また、親バーナボディ２２上には環状の親バーナキャップ２３が載置されており、親バーナ混合管２１と親バーナボディ２２と親バーナキャップ２３とで親バーナ２が構成される。親バーナキャップ２３は、親バーナボディ２２の外周の立上り壁２２ｂに着座する外周側の周壁部２３ａを有しており、この周壁部２３ａに、周方向の間隔を存して大小複数の親バーナ炎孔２４が形成されている。そして、親バーナ混合管２１からの混合気が通路部２２ａと、親バーナボディ２２と親バーナキャップ２３との間に画成される混合気室とを介して親バーナ炎孔２４から噴出するようにしている。
【００２０】
尚、親バーナキャップ２３の内周には筒状の嵌合部２３ｂが形成されている。そして、この嵌合部２３ｂを親バーナボディ２２の内周の立上り壁２２ｃに内嵌させることで、親バーナボディ２２に対し親バーナキャップ２３が芯決めされるようにしている。
【００２１】
また、親子バーナには、親バーナキャップ２３に臨む点火プラグ３と、子バーナキャップ１３に臨む火炎検知素子たる熱電対４とが設けられている。そして、点火プラグ３により親バーナ２に点火し、親バーナ２から子バーナ１に火移りさせて、子バーナ１への火移りを熱電対４で検出するようにしている。
【００２２】
また、子バーナ１と親バーナ２との間の火移りのために、親バーナキャップ２３の上壁部に、内周側の周方向一部に位置させて、周方向に近接して並ぶ３個の火移り炎孔２５と、中央の火移り炎孔２５から径方向外方にのびるスリット炎孔２６とを開設している。そして、親バーナ炎孔２４からスリット炎孔２６に火移りさせ、スリット炎孔２６から火移り炎孔２５を介して子バーナ炎孔１４に火移りさせるようにしている。また、子バーナ１のみを燃焼させる状態から親バーナ２も燃焼させる状態に切り換えるときは、子バーナ炎孔１４から火移り炎孔２５を介してスリット炎孔２６に火移りさせ、スリット炎孔２６から親バーナ炎孔２４に火移りさせる。
【００２３】
尚、図３を参照して、スリット炎孔２６の径方向外端部２６ａは、親バーナキャップ２３の外周側周壁部２３ａの外周面に開口している。また、火移り炎孔２５は、炎が子バーナキャップ１３側にのびるように、径方向内方に傾けて形成した丸孔で構成されている。
【００２４】
ここで、スリット炎孔２６をその全長に亘って親バーナ２の混合気室に連通させたのでは、スリット炎孔２６の径方向中間部からの混合気の噴出流量が多くなり、スリット炎孔２６の径方向外端部２６ａや径方向内端部からの混合気の噴出流量は少なくなる。スリット炎孔２６の径方向内端部からの混合気の噴出流量が少なくても、火移り炎孔２５を介して子バーナ炎孔１４との間での火移りが行われるため、然程の問題は生じない。然し、スリット炎孔２６の径方向外端部２６ａからの混合気の噴出流量が少なくなると、径方向外端部２６ａに生ずる炎が小さくなり、親バーナ炎孔２４との間での火移り不良を生ずることがあって、火移り性能が悪化する。
【００２５】
そこで、本実施形態では、図３、図４に示す如く、スリット炎孔２６の径方向中間部を、親バーナ２の混合気室に面する下面部分が閉塞された溝状炎孔部２６ｂに形成している。また、親バーナキャップ２３の上壁部の下面に、溝状炎孔部２６ｂに対応する部分から下方に突出する突起２７を形成している。
【００２６】
更に、親バーナキャップ２３の外周側周壁部２３ａの内周面に、突起２７と同一の周方向部分に位置させて、径方向外方に凹入する凹入部２８を形成し、この凹入部２８に、突起２７の径方向外端部を周方向両側の隙間２８ａと径方向の隙間２８ｂとを生ずるように挿入している。そして、この径方向の隙間２８ｂに連通するようにスリット炎孔２６の径方向外端部２６ａを形成している。また、親バーナキャップ２３の上壁部の上面外周部のスリット炎孔２６に合致する部分に、径方向外方に向けて下方に傾斜する面取り部２９を形成している。
【００２７】
尚、溝状炎孔部２６ｂは、その溝底が突起２７以外の上壁部２３ｃの下面部分よりも下方に位置するように、突起２７に入り込む深さに形成されている。また、凹入部２８を形成した外周側周壁部２３ａの部分に、親バーナ炎孔２４の一部として、スリット炎孔２６の径方向外端部２６ａの下方に位置する周方向中央の小さな炎孔２４ａと、スリット炎孔２６の径方向外端部２６ａの周方向両側に位置する大きな炎孔２４ｂとを形成している。更に、凹入部２８の周方向中央部に、径方向外方にもう一段階窪む窪み部２８ｃを形成し、この窪み部２８ｃから径方向外方にのびるようにスリット炎孔２６の径方向外端部２６ａを形成している。
【００２８】
以上の構成によれば、スリット炎孔２６の径方向中間部の溝状炎孔部２６ｂは親バーナ２の混合気室に直接連通しないため、スリット炎孔２６の中間部からの混合気の噴出流量が減少し、その結果スリット炎孔２６の径方向外端部２６ａからの混合気の噴出流量が増加する。また、親バーナキャップ２３の上壁部下面に沿って流れる混合気が突起２７によって径方向外方と内方に分流される。そのため、スリット炎孔２６の径方向外端部２６ａから径方向外方に向かう方向成分をもって混合気が噴出し、径方向外端部２６ａからの混合気の噴出流量の増加と相俟って、径方向外端部２６ａに生ずる炎が大きくなり、火移り性能が向上する。
【００２９】
更に、本実施形態では、凹入部２８と突起２７との間の周方向両側の隙間２８ａに混合気が凹入部２８と突起２７との間の径方向の隙間２８ｂに向けて径方向外方に流れる。そのため、径方向の隙間２８ｂに連通するスリット炎孔２６の径方向外端部２６ａから噴出する混合気に径方向外方に向かう方向成分が効果的に付与され、凹入部２８に合致する外周側周壁部２３ａの部分に形成した炎孔２４ａ，２４ｂとスリット炎孔２６との間での火移り性能を確実に向上することができる。
【００３０】
尚、親バーナボディ２２の外周の立上り壁２２ｂと突起２７の径方向外端部との間の上下方向の隙間を通過した混合気の一部もスリット炎孔２６の径方向外端部２６ａから噴出するが、この上下方向の隙間を通過した混合気の大部分は炎孔２４ａ，２４ｂから噴出し、スリット炎孔２６の径方向外端部２６ａから噴出するのは僅かになる。そして、スリット炎孔２６の径方向外端部２６ａから噴出する混合気の大部分は、凹入部２８と突起２７との間の周方向両側の隙間２８ａを通過した混合気となる。その結果、隙間２８ａの幅によってスリット炎孔２６の径方向外端部２６ａからの混合気の噴出流量を適切に管理できるようになり、噴出流量が過大になることによるリフトや黄炎等の燃焼不良も防止できる。
【００３１】
また、溝状炎孔部２６ｂの溝底が突起２７以外の上壁部２３ｃの下面部分よりも下方に位置するため、溝状炎孔部２６ｂに径方向両端から混合気が流入する。従って、溝状炎孔部２６ｂからの混合気の噴出流量が過度に減少することはなく、溝状炎孔部２６ｂ上で小さいながら連続した炎が形成されて、スリット炎孔２６の中間部での失火による火移り不良も防止できる。
【００３２】
また、親バーナキャップ２３の上壁部の上面外周部に面取り部２９を形成することにより、面取り部２９に開口するスリット炎孔２６の部分から混合気が径方向外方に傾いた方向に噴出する。そのため、混合気の噴出方向が上方になるスリット炎孔２６の径方向中間部と混合気の噴出方向が径方向外方になるスリット炎孔２６の径方向外端部２６ａとの間での火移り性も良好になる。
【００３３】
また、図５に示す如く、スリット炎孔２６の径方向外端部２６ａの一部に、周方向両側に拡幅した拡幅炎孔部２６ａ´を形成してもよい。これによれば、拡幅炎孔部２６ａ´から比較的多量の混合気が噴出し、親バーナ炎孔２４との間の火移り性が向上する。尚、図５に示すものでは、拡幅炎孔部２６ａ´を丸孔状に形成しているが、拡幅炎孔部２６ａ´を丸孔状以外の形状、例えば角孔状に形成してもよい。
【００３４】
以上、本発明の実施形態について図面を参照して説明したが、本発明はこれに限定されない。例えば、上記実施形態では、親バーナキャップ２３の外周側周壁部２３ａの凹部２８に合致する部分に火移りのための炎孔２４ａ，２４ｂを形成しているが、突起２７及び凹部２８の周方向幅を狭めれば、凹部２８の形成部分に隣接する外周側周壁部２３ａの部分に形成した親バーナ炎孔２４とスリット炎孔２６との間で火移りが行われるから、炎孔２４ａ，２４ｂは省略することも可能である。この場合、突起２７を、その径方向外端部が親バーナボディ２２の外周の立上り壁２２ｂに着座するように形成してもよい。また、突起２７や凹部２８を省略することも可能であるが、火移り性能を可及的に向上させるには、上記実施形態の如く突起２７及び凹部２８を設けることが望ましい。
【符号の説明】
【００３５】
１…子バーナ、１２…子バーナボディ、１３…子バーナキャップ、１４…子バーナ炎孔、２…親バーナ、２２…親バーナボディ、２３…親バーナキャップ、２３ａ…外周側周壁部、２４…親バーナ炎孔、２６…スリット炎孔、２６ａ…スリット炎孔の径方向外端部、２６ｂ…溝状炎孔部、２７…突起、２８…凹入部、２８ａ…周方向の隙間、２８ｂ…径方向の隙間、２９…面取り部。
【図１】
2012251760.tif 000003
【図２】
2012251760.tif 000004
【図３】
2012251760.tif 000005
【図４】
2012251760.tif 000006
【図５】
2012251760.tif 000007
【手続補正書】
【提出日】平成24年5月2日(2012.5.2)
【手続補正１】
【補正対象書類名】明細書
【補正対象項目名】００２２
【補正方法】変更
【補正の内容】
【００２２】
また、子バーナ１と親バーナ２との間の火移りのために、親バーナキャップ２３の上壁部２３ｃに、内周側の周方向一部に位置させて、周方向に近接して並ぶ３個の火移り炎孔２５と、中央の火移り炎孔２５から径方向外方にのびるスリット炎孔２６とを開設している。そして、親バーナ炎孔２４からスリット炎孔２６に火移りさせ、スリット炎孔２６から火移り炎孔２５を介して子バーナ炎孔１４に火移りさせるようにしている。また、子バーナ１のみを燃焼させる状態から親バーナ２も燃焼させる状態に切り換えるときは、子バーナ炎孔１４から火移り炎孔２５を介してスリット炎孔２６に火移りさせ、スリット炎孔２６から親バーナ炎孔２４に火移りさせる。
【手続補正２】
【補正対象書類名】明細書
【補正対象項目名】００２５
【補正方法】変更
【補正の内容】
【００２５】
そこで、本実施形態では、図３、図４に示す如く、スリット炎孔２６の径方向中間部を、親バーナ２の混合気室に面する下面部分が閉塞された溝状炎孔部２６ｂに形成している。また、親バーナキャップ２３の上壁部２３ｃの下面に、溝状炎孔部２６ｂに対応する部分から下方に突出する突起２７を形成している。
【手続補正３】
【補正対象書類名】明細書
【補正対象項目名】００２６
【補正方法】変更
【補正の内容】
【００２６】
更に、親バーナキャップ２３の外周側周壁部２３ａの内周面に、突起２７と同一の周方向部分に位置させて、径方向外方に凹入する凹入部２８を形成し、この凹入部２８に、突起２７の径方向外端部を周方向両側の隙間２８ａと径方向の隙間２８ｂとを生ずるように挿入している。そして、この径方向の隙間２８ｂに連通するようにスリット炎孔２６の径方向外端部２６ａを形成している。また、親バーナキャップ２３の上壁部２３ｃの上面外周部のスリット炎孔２６に合致する部分に、径方向外方に向けて下方に傾斜する面取り部２９を形成している。
【手続補正４】
【補正対象書類名】明細書
【補正対象項目名】００２８
【補正方法】変更
【補正の内容】
【００２８】
以上の構成によれば、スリット炎孔２６の径方向中間部の溝状炎孔部２６ｂは親バーナ２の混合気室に直接連通しないため、スリット炎孔２６の中間部からの混合気の噴出流量が減少し、その結果スリット炎孔２６の径方向外端部２６ａからの混合気の噴出流量が増加する。また、親バーナキャップ２３の上壁部２３ｃ下面に沿って流れる混合気が突起２７によって径方向外方と内方に分流される。そのため、スリット炎孔２６の径方向外端部２６ａから径方向外方に向かう方向成分をもって混合気が噴出し、径方向外端部２６ａからの混合気の噴出流量の増加と相俟って、径方向外端部２６ａに生ずる炎が大きくなり、火移り性能が向上する。
【手続補正５】
【補正対象書類名】明細書
【補正対象項目名】００３２
【補正方法】変更
【補正の内容】
【００３２】
また、親バーナキャップ２３の上壁部２３ｃの上面外周部に面取り部２９を形成することにより、面取り部２９に開口するスリット炎孔２６の部分から混合気が径方向外方に傾いた方向に噴出する。そのため、混合気の噴出方向が上方になるスリット炎孔２６の径方向中間部と混合気の噴出方向が径方向外方になるスリット炎孔２６の径方向外端部２６ａとの間での火移り性も良好になる。
【手続補正６】
【補正対象書類名】明細書
【補正対象項目名】００３５
【補正方法】変更
【補正の内容】
【００３５】
１…子バーナ、１２…子バーナボディ、１３…子バーナキャップ、１４…子バーナ炎孔、２…親バーナ、２２…親バーナボディ、２３…親バーナキャップ、２３ａ…外周側周壁部、２３ｃ…上壁部、２４…親バーナ炎孔、２６…スリット炎孔、２６ａ…スリット炎孔の径方向外端部、２６ｂ…溝状炎孔部、２７…突起、２８…凹入部、２８ａ…周方向の隙間、２８ｂ…径方向の隙間、２９…面取り部。
【手続補正７】
【補正対象書類名】図面
【補正対象項目名】図１
【補正方法】変更
【補正の内容】
【図１】
2012251760.tif 000008
【手続補正８】
【補正対象書類名】図面
【補正対象項目名】図２
【補正方法】変更
【補正の内容】
【図２】
2012251760.tif 000009
【手続補正９】
【補正対象書類名】図面
【補正対象項目名】図３
【補正方法】変更
【補正の内容】
【図３】
2012251760.tif 000010
【手続補正１０】
【補正対象書類名】図面
【補正対象項目名】図５
【補正方法】変更
【補正の内容】
【図５】
2012251760.tif 000011